(57)【特許請求の範囲】
【請求項１】
携帯端末における表示装置であって、
互いに異なる第一及び第二の視認方向に対してそれぞれほぼ直角になるように交互に配置された第一及び第二の表示セグメント群を有する表示手段と、
一つの表示画像を、複数の短冊状の部分に分割してこれら複数の短冊状部分を交互に並べ換えて前記第一及び第二の表示セグメント群の各対応セグメントへ供給する画像処理手段と、
を含むことを特徴とする表示装置。
【請求項２】
前記短冊状部分は前記一つの表示画像を縦方向に分割したものであり、前記第一及び第二の視認方向は表示装置の左右斜め方向であることを特徴とする請求項１記載の表示装置。
【請求項３】
前記短冊状部分は前記一つの表示画像を横方向に分割したものであり、前記第一及び第二の視認方向は表示装置の上下斜め方向であることを特徴とする請求項１記載の表示装置。
【請求項４】
前記表示手段は液晶表示部であることを特徴とする請求項１〜３いずれか記載の表示装置。
【請求項５】
請求項１〜４いずれか記載の表示装置を含むことを特徴とする携帯端末。
【請求項６】
携帯端末における表示装置の表示制御方法であって、
互いに異なる第一及び第二の視認方向に対してそれぞれほぼ直角になるように交互に配置された第一及び第二の表示セグメント群を有する表示手段を設け、
一つの表示画像を、複数の短冊状の部分に分割する分割ステップと、
これら複数の短冊状部分を交互に並べ換えて前記第一及び第二の表示セグメント群の各対応セグメントへ供給する供給ステップと、
を含むことを特徴とする表示制御方法。
【請求項７】
前記分割ステップは、前記短冊状部分として前記一つの表示画像を縦方向に分割するステップを有し、前記第一及び第二の視認方向は表示装置の左右斜め方向であることを特徴とする請求項６記載の表示制御方法。
【請求項８】
分割ステップは、前記短冊状部分として前記一つの表示画像を横方向に分割するステップを有し、前記第一及び第二の視認方向は表示装置の上下斜め方向であることを特徴とする請求項６記載の表示制御方法。
【請求項９】
携帯端末における表示装置の表示制御方法をコンピュータに実行させるためのプログラムであって、
互いに異なる第一及び第二の視認方向に対してそれぞれほぼ直角になるように交互に配置された第一及び第二の表示セグメント群を有する表示手段を設け、
一つの表示画像を、複数の短冊状の部分に分割する処理と、
これら複数の短冊状部分を交互に並べ換えて前記第一及び第二の表示セグメント群の各対応セグメントへ供給する処理と、
を含むことを特徴とするプログラム。
【発明の詳細な説明】
【技術分野】
【０００１】
本発明は表示装置及び表示制御方法並びにそれを用いた携帯端末に関し、特に液晶表示部を有する携帯電話機に用いて好適な表示方式に関するものである。
【背景技術】
【０００２】
携帯電話機に代表される移動端末における表示画面の表示面積は狭いものとならざるを得ず、よって、横幅の長い画面やＷＥＢサイトなどを表示するには、ユーザはスクロール操作などを利用しなければ、これら画面やサイトの内容を全て見ることはできない。
【０００３】
ここで、特許文献１を参照すると、３０°，６０°，９０°の角度を有し、３０°と９０°とに挟まれた面が鏡面となっているいわゆるリトロールプリズム２個を、互いの鏡面で貼り合わせたユニットを構成し、このユニットを透明シート上に隙間なく多数配列する。そして、２種類の画像を、プリズムの６０°と９０°とに挟まれた面の幅に相当する短冊状にそれぞれ分解し、短冊状に分解した各画像を１枚ずつ、交互に重ね合うことなく合成して得られた合成画像を、透明シート上に貼り付ける構造が開示されている。このような構造の表示装置を壁面上に設置すれば、異なる方向から２種の画像を視認できるというものである。
【０００４】
また、特許文献２を参照すると、シート状の複数枚の表示装置を、互いに折り畳み自在に接続するようにして、各シート状の表示装置を拡げたときに全体として１枚の大きな表示装置となるようにした構造が開示されている。このような構造の表示装置は、折り畳み自在であるから携帯性に優れており、かつ拡げれば充分な表示領域を有しているので、情報の一覧性や見やすさ、読みやすさが可能になるというものである。
【０００５】
【特許文献１】特開２００３−２８８０３８号公報
【特許文献２】特開平２−２８６６１６号公報
【発明の開示】
【発明が解決しようとする課題】
【０００６】
最初に述べた如き携帯電話などの小型の移動端末においては、携帯性が重要視されるために、表示画面も狭くならざるを得ず、よって表示サイズの大きい、例えば横長の画面やサイトなどを見るには、スクロールなどのユーザ操作が必要であり、よって操作が煩雑となり、操作性に劣るという問題がある。
【０００７】
特許文献１の技術では、２個のリトロールプリズムを鏡面で互いに貼り合わせたユニットを多数配列して、２種の画像を２つの別の角度から見ることができるようになっており、これを液晶等のディスプレイに適用することにより、左右別々に画面表示を可能とする旨述べられている。しかしながら、携帯端末の小型の液晶表示部に、２個のプリズムからなるユニットを複数配列して、左右別々に異なる画面を表示するようにした場合には、プリズムの厚さの問題、小型化の問題、プリズムユニットの多数配列のための製造上の問題などがあり、実際には、携帯端末の表示部には適用不可能であるといってよい。
【０００８】
特許文献２の技術では、シート状の複数枚の表示装置の各々を折り畳み可能にしておき、これらシートを拡げたときに、１つの大きな表示装置として利用するものである。この構造では、１つの大きな表示画面を複数に分割して、これらを全体的に合成して大画面表示をなすものであるから、小型の移動端末のディスプレイでは、１つの小さな表示面にはそれ相応の小さい表示内容しか表示できず、よってユーザのスクロール操作などの操作の煩雑さの問題は解消できないものである。
【０００９】
本発明の目的は、プリズムなどのユニット類を用いることなく、横幅の長い画像やＷＥＢサイトの内容を、見る角度を変化させるのみで、一つの画像のように視認することが可能な表示装置及び表示制御方法並びにそれを用いた携帯端末を提供することである。
【００１０】
本発明の他の目的は、携帯性を重要視するために、画面を狭くせざるを得ない場合にも、仮想的に広く見えるようにした表示装置及び表示制御方法並びにそれを用いた携帯端末を提供することである。
【課題を解決するための手段】
【００１１】
本発明による表示装置は、携帯端末における表示装置であって、互いに異なる第一及び第二の視認方向に対してそれぞれほぼ直角になるように交互に配置された第一及び第二の表示セグメント群を有する表示手段と、一つの表示画像を、複数の短冊状の部分に分割してこれら複数の短冊状部分を交互に並べ換えて前記第一及び第二の表示セグメント群の各対応セグメントへ供給する画像処理手段とを含むことを特徴とする。
【００１２】
本発明による携帯端末は、上記の表示装置を含むことを特徴とする。
【００１３】
本発明による表示制御方法は、携帯端末における表示装置の表示制御方法であって、互いに異なる第一及び第二の視認方向に対してそれぞれほぼ直角になるように交互に配置された第一及び第二の表示セグメント群を有する表示手段を設け、一つの表示画像を、複数の短冊状の部分に分割する分割ステップと、これら複数の短冊状部分を交互に並べ換えて前記第一及び第二の表示セグメント群の各対応セグメントへ供給する供給ステップとを含むことを特徴とする。
【００１４】
本発明によるプログラムは、携帯端末における表示装置の表示制御方法をコンピュータに実行させるためのプログラムであって、互いに異なる第一及び第二の視認方向に対してそれぞれほぼ直角になるように交互に配置された第一及び第二の表示セグメント群を有する表示手段を設け、一つの表示画像を、複数の短冊状の部分に分割する処理と、これら複数の短冊状部分を交互に並べ換えて前記第一及び第二の表示セグメント群の各対応セグメントへ供給する処理とを含むことを特徴とする。
【００１５】
本発明の作用を述べる。一つの画面全体を、前半及び後半部分に分け、これら各部を短冊状の複数セクションに夫々分ける。そして、前半及び後半の各セクションを交互に並び替える。液晶画面を、一の視認方向に対して直角になるような第一のセグメント群と、他の視認方向に対して直角になるような第二のセグメント群とに分割して配置する。第一のセグメント群には、画面の前半部分のセクションを、第二のセグメント群には、画面の後半部分のセクションを、夫々対応させて表示する。従って、一の視認方向からは前半部分を、他の視認方向からは後半部分を、夫々見ることができることになり、仮想的に、表示画面が拡大したことになる。
【発明の効果】
【００１６】
本発明によれば、見る角度を変えるだけで、異種の画面を視認できるので、横幅の長い画像やサイトを、スクロールなどの操作なしに一つの画像のように見ることができるという効果がある。
【発明を実施するための最良の形態】
【００１７】
以下に図面を用いて本発明の実施の形態について説明する。図１は本発明の原理を判り易く説明するための図である。図１を参照すると、ユーザが見る角度３０及び４０により、一つの全体画像１０を左右１及び２に分割して２つの画面１及び２が見えるように構成された液晶画面２０を用いて、仮想的に広い画面を実現するようにしたものである。すなわちユーザが、３０の方向から液晶画面を見ると、画面１を見ることができ、また４０の方向から液晶画面を見ると、画面２を見ることができるのである。
【００１８】
そのためには、一つの全体画像１０を分割して並び替える必要があり、図１においては、全体画像１０の前半部分１と後半部分２とに分割し更に、前半部分１を１ａ〜１ｅなどの複数セクションに分割し、また後半部分２を２ａ〜２ｅなどの複数セクションに分割する。そして、液晶画面２０を、一方の方向３０に対してほぼ直角になるようなセグメント群２１ａ〜２１ｅと、他の方向４０に対してほぼ直角になるようなセグメント群２２ａ〜２２ｅとに分割して配置する。
【００１９】
そして、セグメント２１ａ〜２１ｅには、それぞれ画面１の各セクション１ａ〜１ｅを対応させ、セグメント２２ａ〜２２ｅには、それぞれ画面２の各セクション２ａ〜２ｅを対応させるようにする。こうすることによって、前述したように、方向３０からは前半部分の画面１が、方向４０からは後半部分の画面２が、それぞれ視認可能となることが判る。
【００２０】
上記のことを実現するために、本発明の実施の形態は、図２に示す如く、仮想画面生成部１１と、画像処理部１２と、表示部１３とからなっている。仮想画面生成部１１は、本例では、表示部１３である液晶画面２０（図１参照）よりも広い表示領域を有する画面を生成するものとする。液晶表示画面２０に表示する際に、画像処理部１２を利用して、図１に示した一つの全体画像（仮想画面）１０を、図３に示す如く、順次処理する。
【００２１】
すなわち、図３（Ａ）のような一つの仮想画面１０を、分割して短冊状１ａ，２ａ，１ｂ，２ｂにし、しかる後に、図３（Ｂ）に示す如く、短冊状１ａ，１ｂと、２ａ，２ｂとが順に並ぶように、交互に並び替えを行う。短冊状１ａ，１ｂが全体画像の前半部分１となり、短冊状２ａ，２ｂがその後半部分２となる（図１参照）。そして、表示部２０の各セグメント群２１ａ，２１ｂに前半部分１の短冊状１ａ，１ｂの画面を表示し、各セグメント群２２ａ，２２ｂに後半部分２の短冊状２ａ，２ｂを表示する（図３（Ｃ））と、図３（Ｄ）のように、方向３０及び４０から表示が見えることになる。従って、ユーザは携帯端末の表示部１３の表示面を変化させるだけで、一つの全体画像１０が視認可能となる。
【００２２】
なお、図４（Ａ）〜（Ｃ）は、画像処理部１２における画面の並べ替えの手順を、図３（Ａ）〜（Ｄ）の例に従って、図１の例に対応して示したものであり、これら各図において、同等部分は同一符号により示している。また、上記実施の形態において、画面の短冊状の分割数や液晶のセグメントの数は、各図の例に限定されるものではないことは明らかである。更に、画面を縦状に短冊化しているが、横状に短冊化することもできる。この場合には、図示の実施の形態の左右斜め方向から見るのとは異なり、上下斜め方向から見ることにより、一つの全体画像が視認されることになる。
【００２３】
また、一つの画面を２分割して２面体（２セグメント体）の液晶画面としているが、一般に、一つの画面をｎ分割（ｎは３以上の整数）にして、ｎ面体の液晶画面とすることも考えられるものである。
【００２４】
なお、上記の画像処理部の動作は、予めその動作手順をプログラムとしてＲＯＭなどの記録媒体に格納しておき、これをコンピュータにより実行させることができるものである。
【図面の簡単な説明】
【００２５】
【図１】本発明の原理を説明するための図である。
【図２】本発明の実施の形態の概略ブロック図である。
【図３】一つのある画面における分割処理の制御手順を示す図である。
【図４】本発明の実施の形態の動作を説明する図である。
【符号の説明】
【００２６】
１  一つの画像の前半部分
２  一つの画像の後半部分
１０  一つの全体画像
１１  仮想画面生成部
１２  画像処理部
１３  表示部
２０  液晶画面
３０，４０  視認方向
【図１】
0005329740.tif 000002
【図２】
0005329740.tif 000003
【図３】
0005329740.tif 000004
【図４】
0005329740.tif 000005